【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
医療用液体の流量制御弁であって、
入口と出口とを含むハウジングであって、該ハウジングは、第１内部ボアを規定する第１の円筒形の壁、ならびに該第１の円筒形の壁を貫通して延在する、軸方向に離間した第１開口および第２開口を備える、ハウジングと、
流量制御部材であって、該流量制御部材は、第２内部ボアを規定する第２の円筒形の壁を備え、該流量制御部材は、該第１内部ボアの中に回転するように受容され、そして第１平面に少なくとも１つの離散した開口を有し、かつ該第１平面から軸方向に離間した第２平面に少なくとも１つの離散した開口を有し、かつ該第１平面および該第２平面から軸方向に離間した第３平面において１つの離散した開口を有し、該流量制御部材は、該第１平面における該少なくとも１つの離散した開口のうちの１つが該第１の円筒形の壁の該第１開口と連通して、該第３平面の該離散した開口からの第１流量を規定する第１位置と、該第２平面における該少なくとも１つの離散した開口のうちの１つが該第１の円筒形の壁の該第２開口と連通して、該第１流量とは異なる、該第３平面の該離散した開口からの第２流量を規定する第２位置との間で、回転可能である、流量制御部材と、
第１チューブであって、第１サイズを有し、一方の端において該入口または出口のうちの１つと連通し、他方の端において該第１の円筒形の壁における該第１開口と連通する第１チューブと、
該第１チューブとは異なるサイズの第２チューブであって、一方の端において該入口または出口のうちの１つと連通し、他方の端において該第１の円筒形の壁における該第２開口と連通する第２チューブと、
該流量制御部材の該第２の円筒形の壁によって規定される該第２内部ボア内に延びる円筒形ステムであって、該円筒形ステムと該第２の円筒形の壁とが、円筒形の間隙を規定し、該間隙は、（ｉ）該第１平面における該離散した開口と、該第３平面における該離散した開口との間、および（ｉｉ）該第２平面における該離散した開口と、該第３平面における該離散した開口との間での、流体連通を可能にする、円筒形ステムと
を備える、流量制御弁。
【請求項２】
前記流量制御部材が前記第１位置にある場合に、（ｉ）前記第２平面における前記離散した開口のうちの１つが前記第２開口部と連通するか、または（ｉｉ）該第２平面における該離散した開口がいずれも該第２開口と連通しない、請求項１に記載の流量制御弁。
【請求項３】
前記第１平面および前記第２平面における前記第１の離散した開口および前記第二の離散した開口を通る流体流は、前記第３平面における前記離散した開口から流れ出る前に前記円筒形の間隙内で混合される、請求項１に記載の流量制御弁。
【請求項４】
前記ステムは前記ハウジングの基部から上向きに延びている、請求項１に記載の流量制御弁。
【請求項５】
前記円筒形の間隙は、前記第１平面における前記離散した開口を通って流れる流体と前記第２平面における前記離散した開口を通って流れる流体とが合わせられることを可能にする、請求項１に記載の流量制御弁。
【請求項６】
前記流量制御部材が、前記第２平面と前記第３平面との間で軸方向に離間した第４表面において、少なくとも１つの開口を規定し、前記第１平面、該第２平面、および該第４平面の開口のうちの少なくとも１つが、前記円筒形の間隙と流体連通している、請求項１に記載の流量制御弁。
【請求項７】
前記第１の円筒形の壁が、前記第４平面における前記少なくとも１つの開口と連通するように整列した、軸方向に離間した第３開口を規定する、請求項６に記載の流量制御弁。
【請求項８】
前記流量制御部材が、第３位置までさらに回転可能であり、該第３位置において、前記第４平面における前記少なくとも１つの離散した開口のうちの１つが、前記第１の円筒形の壁における前記第３開口と連通して、前記第３平面における前記離散した開口からの第３流量を規定する、請求項７に記載の流量制御弁。
【請求項９】
前記第１チューブおよび前記第２チューブと異なるサイズを有する第３チューブを備え、該第３チューブは、一方の端において、前記入口または前記出口と連通し、そして他方の端において、前記第１の円筒形の壁における前記第３の開口と連通する、請求項７に記載の流量制御弁。
【請求項１０】
前記円筒形の間隙が、前記第１面における前記離散した開口を通って流れる流体、前記第２平面における前記離間した開口を通って流れる流体、および前記第４平面における前記離間した開口を通って流れる流体が合わせられることを可能にする、請求項６に記載の流量制御弁。
【請求項１１】
第３平面における前記離散した開口が、前記第２の円筒形の壁の外周で少なくとも部分的に延びる環状溝と連通し、該環状溝が、前記流量制御部材が前記第１位置に回転しているか前記第２位置に回転しているかとは無関係に、前記入口または前記出口のうちの他方と連通するように配置されている、請求項１に記載の流量制御弁。
【請求項１２】
医療用液体の流量制御弁であって、
入口（３４）と出口（３６）とを含むハウジング（３２）であって、該ハウジング（３２）は、第１内部ボアを規定する第１の円筒形の壁、ならびに該第１の円筒形の壁を貫通して延在する、軸方向に離間した第１開口、第２開口および第３開口を備える、ハウジングと、
流量制御部材（４８）であって、該流量制御部材は、第２内部ボアを規定する第２の円筒形の壁を備え、該流量制御部材（４８）は、該第１内部ボアの中に回転するように受容され、そして第１平面に少なくとも１つの離散した開口を有し、かつ該第１平面から軸方向に離間した第２平面に少なくとも１つの離散した開口を有し、かつ該第１平面および該第２平面から軸方向に離間した第３平面において少なくとも１つの離散した開口を有し、かつ該第１平面、該第２平面および該第３平面から軸方向に離間した第４平面において１つの離散した開口を有し、該流量制御部材（４８）は、該第１平面における該少なくとも１つの離散した開口のうちの１つが該第１の円筒形の壁の該第１開口と連通して、該第４平面の該離散した開口からの第１流量を規定する第１位置と、該第２平面における該少なくとも１つの離散した開口のうちの１つが該第１の円筒形の壁の該第２開口と連通して、該第１流量とは異なる、該第４平面の該離散した開口からの第２流量を規定する第２位置と、該第３平面における該少なくとも１つの離散した開口のうちの１つが該第１の円筒形の壁の該第３開口と連通して、該第１流量および該第２流量とは異なる、該第４平面の該離散した開口からの第３流量を規定する第３位置との間で、回転可能である、流量制御部材と、
第１流量制限器であって、一方の端において該入口（３４）と連通し、他方の端において該第１の円筒形の壁における該第１開口と連通する第１流量制限器と、
第２流量制限器であって、一方の端において該入口（３４）と連通し、他方の端において該第１の円筒形の壁における該第２開口と連通する第２流量制限器と、
第３流量制限器であって、一方の端において該入口（３４）と連通し、他方の端において該第１の円筒形の壁における該第３開口と連通する第３流量制限器と、
該流量制御部材（４８）の該第２の円筒形の壁によって規定される該第２内部ボア内に延びる円筒形ステム（７０）であって、該円筒形ステム（７０）と該第２の円筒形の壁とが、円筒形の間隙を規定し、該間隙は、（ｉ）該第１平面における該離散した開口と、該第４平面における該離散した開口との間、（ｉｉ）該第２平面における該離散した開口と、該第４平面における該離散した開口との間、および（ｉｉｉ）該第３平面における該離散した開口と、該第４平面における該離散した開口との間での、流体連通を可能にする、円筒形ステムと
を備える、流量制御弁。
【請求項１３】
使用のための位置にある場合に、前記第４平面における前記離散した開口が、前記第１平面、前記第２平面および前記第３平面より下の高さに位置する、請求項１２に記載の流量制御弁。
【請求項１４】
使用のための位置にある場合に、前記円筒形の間隙が少なくとも実質的に垂直に延びる、請求項１２に記載の流量制御弁。
【請求項１５】
前記第１流量制限器、前記第２流量制限器および前記第３流量制限器のうちの少なくとも１つが、直径が小さいチューブである、請求項１２に記載の流量制御弁。
【請求項１６】
前記第１位置、前記第２位置および前記第３位置のうちの１つが、前記第１平面、前記第２平面および前記第３平面における前記離散した開口のうちの少なくとも２つを通る流れの混合を生じ、該流れの混合が、前記円筒形の間隙において起こる、請求項１２に記載の流量制御弁。
【請求項１７】
前記第４平面における前記離散した開口が、前記第２の円筒形の壁の外周で少なくとも部分的に延びる環状溝と連通し、該環状溝が、前記流量制御部材が前記第１位置に回転しているか前記第２位置に回転しているか前記第３位置に回転しているかとは無関係に、前記ハウジングの前記出口と連通するように配置されている、請求項１２に記載の流量制御弁。
【請求項１８】
医療用液体の流量制御弁であって、
入口と出口とを含むハウジングであって、該ハウジングは、第１内部ボアを規定する第１壁、ならびに該第１壁を貫通して延在する、軸方向に離間した第１開口および第２開口を備える、ハウジングと、
流量制御部材であって、該流量制御部材は、第２内部ボアを規定する第２壁を備え、該流量制御部材は、該第１内部ボアの中に回転するように受容され、そして第１平面に少なくとも１つの離散した開口を有し、かつ該第１平面から軸方向に離間した第２平面に少なくとも１つの離散した開口を有し、かつ該第１平面および該第２平面から軸方向に離間した第３平面において１つの離散した開口を有し、該流量制御部材は、該第１平面における該少なくとも１つの離散した開口のうちの１つが該第１壁の該第１開口と連通して、該第３平面の該離散した開口からの第１流量を規定する第１位置と、該第２平面における該少なくとも１つの離散した開口のうちの１つが該第１壁の該第２開口と連通して、該第１流量とは異なる、該第３平面の該離散した開口からの第２流量を規定する第２位置との間で、回転可能である、流量制御部材と、
第１流量制限器であって、一方の端において該入口と連通し、他方の端において該第１壁における該第１開口と連通する第１流量制限器と、
該第１流量制限器とは異なるサイズの第２流量制限器であって、一方の端において該入口と連通し、他方の端において該第１壁における該第２開口と連通する第２流量制限器と、
該流量制御部材の該第２壁によって規定される該第２内部ボア内に延びるステムであって、該ステムと該第２壁とが、間隙を規定し、該間隙は、（ｉ）該第１平面における該離散した開口と、該第３平面における該離散した開口との間、および（ｉｉ）該第２平面における該離散した開口と、該第３平面における該離散した開口との間での、流体連通を可能にする、ステムと
を備える、流量制御弁。
【請求項１９】
前記ステム、前記第２壁および前記間隙が、少なくとも実質的に円筒形である、請求項１８に記載の流量制御弁。
【請求項２０】
前記ハウジングの前記第１壁が、少なくとも実質的に円筒形である、請求項１８に記載の流量制御弁。
【手続補正２】
【補正対象書類名】明細書
【補正対象項目名】０００４
【補正方法】変更
【補正の内容】
【０００４】
本発明は、以下を提供する：
（項目１）
医療用流体の流量制御弁であって、
入口と出口とその間の流路とを含むハウジングと、
流量の異なる複数の液体流を規定するための、該流路内の複数の流量制限器と、
該流路に配置される流量制御部材であって、該流量制御部材は、第１平面に複数の離散した開口を有し、かつ該第１平面から離間した第２平面に少なくとも１つの開口を有しており、該流量制御部材と該ハウジングとは、該第１平面における該複数の開口のうちの１つが該液体流の１つと連通して、該弁を通る第１流量を規定する第１位置と、該第２平面における該少なくとも１つの開口のうちの１つが該液体流の別の１つと連通して、該弁を通る該第１流量とは異なる第２流量を規定する第２位置との間で、相対的に運動可能である、流量制御部材と
を備える、流量制御弁。
（項目２）
上記流量制御部材は、上記ハウジングの中に回転するように受容される、項目１に記載の流量制御弁。
（項目３）
上記流量制御部材は、上記第２平面に複数の開口を含む、項目１に記載の流量制御弁。
（項目４）
上記流量制御部材は、上記第１平面における上記複数の開口のうちの１つが上記液体流のうちの１つと連通し、かつ、上記第２平面における上記複数の開口のうちの１つが上記液体流のうちの別の１つと連通することにより、上記弁を通る上記流量が該１つの液体流および該別の液体流の流量の合計となるような位置に移動可能である、項目３に記載の流量制御弁。
（項目５）
上記流量制御部材は、相補的形状のツールと係合するために選択された形状の係合領域を有することにより、上記弁を通る流体の流量を変化させる、項目１に記載の流量制御弁。
（項目６）
上記流量制御部材の上記係合領域は、該流量制御部材の上記位置の不正な変更を制限するように配置される、項目５に記載の流量制御弁。
（項目７）
上記第１平面および第２平面のそれぞれには複数の離散した開口が存在し、かつ、各開口はそれぞれの平面内で円周方向に離間することにより、上記弁を通る複数の流量を提供する、項目３に記載の流量制御弁。
（項目８）
医療用流体の流量制御弁であって、
入口と出口とその間の流路とを含むハウジングと、
複数の異なる流量を規定するために、該流路に配置された複数の流量制限器であって、第１流量制限器は第１選択サイズのチューブによって規定され、第２流量制限器は該第１流量制限器のサイズとは異なる第２選択サイズのチューブによって規定される、流量制限器と、
該流路に配置される流量制御部材であって、該流量制御部材は、離間した第１位置および第２位置のそれぞれに少なくとも１つの離散した開口を有しており、該流量制御部材と該ハウジングとは、該第１位置における１つの開口が該流量制限器のうちの１つと連通して、該弁を通る第１流量を規定する該第１位置と、該第２位置における１つの開口が該流量制限器のうちの異なる１つと連通して、該第１流量とは異なる該弁を通る第２流量を規定する第２位置との間で、相対的に運動可能である、流量制御部材と、
を備える、流量制御弁。
（項目９）
上記第１流量制限器を規定する上記チューブは、上記第２流量制限器を規定する上記チューブとは異なる内径および異なる長さのうちの少なくとも１つを有する、項目８に記載の流量制御弁。
（項目１０）
上記第１流量制限器を規定する上記チューブは、上記第２流量制限器を規定する上記チューブとは長さが異なる、項目８に記載の流量制御弁。
（項目１１）
上記流量制限器を規定する上記少なくとも１つの上記チューブは、上記ハウジングによって完全に囲まれる、項目８に記載の流量制御弁。
（項目１２）
上記ハウジングは、上記チューブが配置される第１チャンバと、上記流量制御部材を含む第２チャンバとを含む、項目８に記載の流量制御弁。
（項目１３）
医療用流体の流量制御弁であって、
入口と出口とその間の流路とを含むハウジングであって、該ハウジングは、内部ボアならびに環状壁を通って延在する軸方向に離間した第１開口部および第２開口部を規定する環状壁を含む、ハウジングと、
該内部ボアの中に回転するように配置され、第１平面に複数の離散した開口を有し、かつ、第２平面に複数の離散した開口を有する流量制御部材と、
複数のチューブであって、第１サイズを有し、一方の端において該入口または出口のうちの１つと連通し、他方の端において該環状壁における該第１開口と連通する第１チューブと、該第１チューブとは異なるサイズの第２チューブを有し、一方の端において該入口または出口のうちの１つと連通し、他方の端において該環状壁における該第２開口と連通する第２チューブとを含む、複数のチューブと
を含み、
該流量制御部材は、少なくとも第１位置と第２位置との間で回転可能であって、該第１位置において、該第１平面における該複数の開口のうちの１つが該環状壁における該第１開口部と連通して、該弁を通る第１流量を規定し、該第２位置において、該第２平面における該複数の開口のうちの１つが該環状壁における該第２開口部と連通して、該第１流量とは異なる該弁を通る第２流量を規定する、流量制御弁。
（項目１４）
上記流量制御部材が上記第１位置にある場合に、上記第２平面における上記開口のうちの１つが上記第２開口部と連通する、項目１３に記載の流量制御弁。
（項目１５）
上記流量制御部材が上記第１位置にある場合に、上記第２平面における上記開口がいずれも上記第２開口と連通しない、項目１３に記載の流量制御弁。
（項目１６）
上記第１開口部および上記第２開口部における上記開口を通る任意の液体流は、その他の上記入口または出口を通って流れる前に混合される、項目１３に記載の流量制御弁。
（項目１７）
上記流量制御部材は、上記第１平面および上記第２平面から離間した第３平面において少なくとも１つの開口を規定する、項目１に記載の流量制御弁。
（項目１８）
上記流量制御部材は、上記第１平面および上記第２平面から離間した第３平面において少なくとも１つの開口を規定する、項目１３に記載の流量制御弁。
本発明は、比較的容易かつ安価に製造され、医師またはユーザに多様な流量の選択を提供する新規の流量制御装置または流量制御弁において具現化される。本発明の一側面において、医療用流体を供給する流量制御弁を提供する。流量制御弁は、入口と出口とその間の流路とを備えるハウジングを含む。流路内の複数の流量制限器は、流量の異なる複数の液体流を規定する。流量制御部材は流路内に配置され、第１平面に配置された少なくとも１つの開口と、第１平面から離間した第２平面に配置された少なくとも１つの開口とを有する。流量制御部材は、第１位置と少なくとも１つの第２位置との間にあるハウジングに対して運動可能である。第１位置において、第１平面における少なくとも１つの開口のうちの１つは、少なくとも１つの液体流と連通して、弁を通る第１流量を規定する。第２位置において、第２平面における少なくとも１つの開口のうちの１つは、別の液体流と連通して、第１流量とは異なる弁を通る第２流量を規定する。